【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
入力ソース色空間におけるディジタル画像を受信するように構成された少なくとも１つの入力装置と、
前記入力装置に動作可能に関連しており、前記入力装置に記憶された入力変換を使用して、入力ソース色空間におけるディジタル画像を、標準化された多色色空間におけるディジタル画像に変換するように構成された少なくとも１つの入力プロセッサと、
各印刷エンジンプロセッサが色管理システムにおける複数の印刷エンジンのうちの１つに動作可能に関連している複数の印刷エンジンプロセッサと、を備え、
各印刷エンジンプロセッサが、
前記入力プロセッサから前記標準化された多色色空間におけるディジタル画像を受信し、
前記印刷エンジンに記憶された印刷エンジン変換を使用して、前記標準化された多色色空間におけるディジタル画像を、印刷エンジン多色色空間におけるディジタル画像に変換する、
ように構成されており、
前記入力変換が、前記色管理システムにおける全ての印刷エンジンの色域範囲と少なくとも等しい色域範囲を含む、
色管理システム。
【請求項２】
前記入力変換が、前記入力ソース色空間を、前記標準化された多色色空間にマッピングするように構成された１つ以上の入力ルックアップ・テーブルを含む、請求項１に記載の色管理システム。
【請求項３】
前記標準化された多色色空間が、前記色管理システムにおける複数の印刷エンジンの全てに共通している色空間である、請求項２に記載の色管理システム。
【請求項４】
入力ソース色空間におけるディジタル画像を受信するように構成された少なくとも１つの入力装置と、
前記入力装置に動作可能に関連しており、前記入力装置に記憶された入力変換を使用して、入力ソース色空間におけるディジタル画像を、標準化された多色色空間におけるディジタル画像に変換するように構成された少なくとも１つの入力プロセッサと、
各印刷エンジンプロセッサが色管理システムにおける複数の印刷エンジンのうちの１つに動作可能に関連している複数の印刷エンジンプロセッサと、を備え、
各印刷エンジンプロセッサが、
前記入力プロセッサから前記標準化された多色色空間におけるディジタル画像を受信し、
前記印刷エンジンに記憶された印刷エンジン変換を使用して、前記標準化された多色色空間におけるディジタル画像を、印刷エンジン多色色空間におけるディジタル画像に変換する、
ように構成されており、
前記入力変換が、前記色管理システムにおける全ての印刷エンジンの色域範囲と少なくとも等しい色域範囲を含み、
各印刷エンジンの前記印刷エンジン変換が、
（ｉ）前記標準化された多色色空間を、前記印刷エンジン多色色空間にマッピングし、
（ｉｉ）前記印刷エンジンの異なる着色剤及び複数のレンダリング目的を処理する
ように構成された１つ以上の印刷エンジン・ルックアップ・テーブルを含む、
色管理システム。
【請求項５】
前記印刷エンジンの各印刷エンジン・ルックアップ・テーブルが、所定のレンダリング目的に関連している、請求項４に記載の色管理システム。
【請求項６】
前記所定のレンダリング目的は、自動的に選択される、又はユーザの入力に基づく、請求項５に記載の色管理システム。
【請求項７】
前記入力ソース色空間は、ＲＧＢ色空間、ＣＭＹＫ色空間、ｓＲＧＢ色空間、又はＬ＊ａ＊ｂ＊色空間を含む、請求項１に記載の色管理システム。
【請求項８】
前記標準化された多色色空間は、標準化されたＣＭＹＫ（即ち、ｓＣＭＹＫ）色空間、標準化されたＣＭＹＫＯＶ（即ち、ｓＣＭＹＫＯＶ）色空間、標準化されたＮ色（即ち、ｓＮ色）色空間を含む、請求項１に記載の色管理システム。
【請求項９】
前記印刷エンジン多色色空間は、印刷エンジンＣＭＹＫ色空間、印刷エンジンＣＭＹＫＯＶ色空間、又は印刷エンジンＮ色色空間を含む、請求項１に記載の色管理システム。
【請求項１０】
前記入力変換は、標準化されたＣＭＹＫの製剤、又は標準化されたＮ色の製剤に画素を発するように構成されている、請求項１に記載の色管理システム。
【請求項１１】
前記入力装置は、ディジタル・フロントエンド（ＤＦＥ）である、請求項１に記載の色管理システム。
【請求項１２】
色管理システムにおける複数の印刷エンジンにわたる改善された色一貫性を提供する方法であって、複数の印刷エンジンが、異なる数の着色剤及び異なるレンダリング目的を有し、各印刷エンジンが、前記各印刷エンジンと動作可能に関連している印刷エンジンプロセッサを有し、前記方法は、１つ以上のコンピュータプログラム・モジュールを実行するように構成された１つ以上のプロセッサを備えるコンピュータシステムにおいて行われる前記方法において、
少なくとも１つの入力装置に記憶された入力変換を使用して、入力ソース色空間におけるディジタル画像を、標準化された多色色空間におけるディジタル画像に変換することと、
前記複数の印刷エンジンのうちの１つに記憶された印刷エンジン変換を使用して、前記標準化された多色色空間におけるディジタル画像を、印刷エンジン多色色空間におけるディジタル画像に変換することと、を備え、
前記入力変換が、前記色管理システムにおける全ての印刷エンジンの色域範囲と少なくとも等しい色域範囲を含む、
方法。
【請求項１３】
前記入力変換が、前記入力ソース色空間を、前記標準化された多色色空間にマッピングするように構成された１つ以上の入力ルックアップ・テーブルを含む、請求項１２に記載の方法。
【請求項１４】
前記標準化された多色色空間が、前記色管理システムにおける前記複数の印刷エンジンの全てに共通の色空間である、請求項１３に記載の方法。
【請求項１５】
色管理システムにおける複数の印刷エンジンにわたる改善された色一貫性を提供する方法であって、複数の印刷エンジンが、異なる数の着色剤及び異なるレンダリング目的を有し、各印刷エンジンが、前記各印刷エンジンと動作可能に関連している印刷エンジンプロセッサを有し、前記方法は、１つ以上のコンピュータプログラム・モジュールを実行するように構成された１つ以上のプロセッサを備えるコンピュータシステムにおいて行われる前記方法において、
少なくとも１つの入力装置に記憶された入力変換を使用して、入力ソース色空間におけるディジタル画像を、標準化された多色色空間におけるディジタル画像に変換することと、
前記複数の印刷エンジンのうちの１つに記憶された印刷エンジン変換を使用して、前記標準化された多色色空間におけるディジタル画像を、印刷エンジン多色色空間におけるディジタル画像に変換することと、を備え、
前記入力変換が、前記色管理システムにおける全ての印刷エンジンの色域範囲と少なくとも等しい色域範囲を含み、
各印刷エンジンの前記印刷エンジン変換が、
（ｉ）前記標準化された多色色空間を、前記印刷エンジン多色色空間にマッピングし、
（ｉｉ）前記印刷エンジンの異なる着色剤及び複数のレンダリング目的を処理する
ように構成された１つ以上の印刷エンジン・ルックアップ・テーブルを含む、
方法。
【請求項１６】
前記印刷エンジンの各印刷エンジン・ルックアップ・テーブルが、所定のレンダリング目的に関連している、請求項１５に記載の方法。
【請求項１７】
前記所定のレンダリング目的は、自動的に選択される、又はユーザの入力に基づく、請求項１６に記載の方法。
【請求項１８】
前記入力ソース色空間は、ＲＧＢ色空間、ＣＭＹＫ色空間、ｓＲＧＢ色空間、又はＬ＊ａ＊ｂ＊色空間を含む、請求項１２に記載の方法。
【請求項１９】
前記標準化された多色色空間は、標準化されたＣＭＹＫ（即ち、ｓＣＭＹＫ）色空間、標準化されたＣＭＹＫＯＶ（即ち、ｓＣＭＹＫＯＶ）色空間、標準化されたＮ色（即ち、ｓＮ色）色空間を含む、請求項１２に記載の方法。
【請求項２０】
前記印刷エンジン多色色空間は、印刷エンジンＣＭＹＫ色空間、印刷エンジンＣＭＹＫＯＶ色空間、又は印刷エンジンＮ色色空間を含む、請求項１２に記載の方法。
【請求項２１】
前記入力変換は、標準化されたＣＭＹＫの製剤、又は標準化されたＮ色の製剤に画素を発するように構成されている、請求項１２に記載の方法。